(57)【要約】  本発明は、容器胴体及び蓋体から発光ダイオード（ＬＥＤ）の光が発せられるようにして、容器胴体内に入れられた中身と調和をなして見栄えがよいだけではなく、広報効果が期待される発光ダイオード（ＬＥＤ）付き飲料容器に関する。【選択図】  図１
2018520709.tif 000002
【特許請求の範囲】
【請求項１】
上部が開放された注ぎ口（１１）が形成され、ストロー（Ｓ）が差し込まれるストロー差込口（１２）が配設される容器胴体（１０）と、
前記容器胴体（１０）の注ぎ口（１１）の外面に取り外し自在に螺着され、中央に係合孔（２３）が形成された蓋体（２０）と、
前記蓋体（２０）の係合孔（２３）に嵌着される中空部材（３５）と、前記中空部材（３５）の下部に接続端子（３４）が配設された発光ダイオード（ＬＥＤ）（３３）と、を有する発光部（３０）と、
前記中空部材（３５）に嵌まり込む嵌込片（４１）が形成され、前記嵌込片に突き出るように供給端子（４２）が配設され、前記中空部材（３５）に沿って昇降しながら前記供給端子（４２）が前記接続端子（３４）に接地又は分離されて前記発光ダイオード（ＬＥＤ）（３３）に電源を供給するバッテリ（４０）と、
を備え、
前記蓋体（２０）は、容器胴体（１０）の注ぎ口（１１）の外面に螺着され、上端部に締付孔（２２’）が貫通された締付部（２１）と、前記締付部（２１）の締付孔（２２’）に嵌め込まれて前記締付部（２１）の内外側を支持する環状溝（２８）が形成され、中央に係合孔（２３）が貫通された固定部（２２）と、前記固定部（２２）の下部に嵌め込まれるように中央に支持孔（２９）が形成され、前記締付部（２１）の内側面に密着されて前記容器胴体（１０）の注ぎ口（１１）を閉塞する気密部材（２４）と、を備えることを特徴とする発光ダイオード（ＬＥＤ）付き飲料容器。
【発明の詳細な説明】
【技術分野】
【０００１】
本発明は、発光ダイオード（ＬＥＤ）付き飲料容器に係り、さらに詳しくは、飲料容器の上下部から発光ダイオード（ＬＥＤ）の光が発せられるようにして飲料容器に入れられた中身と調和をなして見栄えがよいだけではなく、デザイン効果を浮き彫りにすることのできる発光ダイオード（ＬＥＤ）付き飲料容器に関する。
【背景技術】
【０００２】
図８に示すように、従来の透光空間による発光ダイオード（ＬＥＤ）照明付き容器の蓋体は、外面に広報ステッカ１１２が貼り付けられた第１の栓１１０と、前記第１の栓１１０の内部において容器の首部１０７に着脱自在に係合される第２の栓１３０と、前記第１の栓１１０及び第２の栓１３０の内部に配置された発光ダイオード（ＬＥＤ）１５２を有する照明部１５０と、前記第１の栓１１０及び第２の栓１３０の内部における発光ダイオード（ＬＥＤ）１５２の上部に配置され、下広上狭の階段状の断面を有するように形成された透光空間１１６と、を備え、蓋体を開いたとき、またはスイッチを入れたときに照明部１５０の発光ダイオード（ＬＥＤ）１５２がオンになり、前記階段状の透光空間１１６を介して発光ダイオード（ＬＥＤ）１５２から発せられた光を前方と、側方及び後方に屈折させて３６０°で蓋体の全体に亘って仄かに発光ダイオード（ＬＥＤ）１５２の光を透過させて照明するように構成されたことを特徴とする。
【０００３】
このように、従来の発光ダイオード（ＬＥＤ）照明付き容器の蓋体は、容器の蓋体を回すとき、約９０°は空回りするようにし、その空回りする間に内蔵された発光ダイオード（ＬＥＤ）がオンになって容器の蓋体のロゴ及び蓋体の全体が仄かに３６０°で照明されるようにし、発光ダイオード（ＬＥＤ）がオンになってから９０°以上回されると、実質的に容器から蓋体が取り外されることにより、容器を開閉するときに容器の蓋体が光により華やかに点灯され、その結果、広報効果を高めることができ、しかも、見栄えをよくすることができる。
しかしながら、従来の発光ダイオード（ＬＥＤ）照明付き容器の蓋体は、その構造からみて、光が蓋体の上側にのみ発せられるため、飲み物またはお酒などの商品は、広報効果があまり得られず、しかも、見栄えが悪かった。
また、従来の容器の蓋体は、夜間には容器に入れられた中身の残量を確認し難いという不都合があった。
【先行技術文献】
【特許文献】
【０００４】
【特許文献１】大韓民国公開特許第１０−２０１１−００７１４７０号公報
【発明の概要】
【発明が解決しようとする課題】
【０００５】
本発明は、上記の不都合を解消するために案出されたものであり、その目的は、容器胴体及び蓋体に発光ダイオード（ＬＥＤ）の光が発せられるようにして、容器胴体内に入れられた中身と調和をなして見栄えがよいだけではなく、広報効果を期待することのできる発光ダイオード（ＬＥＤ）付き飲料容器を提供することである。
【０００６】
また、本発明の他の目的は、夜間に容器胴体に入れられた中身の残量を確認することのできる発光ダイオード（ＬＥＤ）付き飲料容器を提供することである。
【０００７】
さらに、本発明のさらに他の目的は、使い終わった飲料容器はインテリア小品として使用することのできる発光ダイオード（ＬＥＤ）付き飲料容器を提供することである。
【課題を解決するための手段】
【０００８】
上記の目的を達成するために案出された本発明に係る発光ダイオード（ＬＥＤ）付き飲料容器は、上部が開放された注ぎ口が形成され、ストローが差し込まれるストロー差込口が配設される容器胴体と、前記容器胴体の注ぎ口の外面に取り外し自在に螺着され、中央に係合孔が形成された蓋体と、前記蓋体の係合孔に嵌着される中空部材と、前記中空部材の下部に接続端子が配設された発光ダイオード（ＬＥＤ）と、を有する発光部と、前記中空部材に嵌まり込む嵌込片が形成され、前記嵌込片に突き出るように供給端子が配設され、前記中空部材に沿って昇降しながら前記供給端子が前記接続端子に接地又は分離されて前記発光ダイオード（ＬＥＤ）に電源を供給するバッテリと、を備える。
【０００９】
また、本発明の発光ダイオード（ＬＥＤ）付き飲料容器は、上部が開放された注ぎ口が形成され、下部の中央から内側に向かって上向きに突き出た収容部が配設される容器胴体と、前記容器胴体の注ぎ口の外面に取り外し自在に螺着され、中央にストローが差し込まれる係合孔が配設された蓋体と、前記容器胴体の収容部に嵌着されるケースと、前記ケースの内部に乾電池、スイッチ部が設けられ、前記ケースの内外面に設けられて前記スイッチ部の動作を誘導する押下部及び前記スイッチ部の動作により光を照射する発光ダイオード（ＬＥＤ）と、前記ケースの外面に設けられ、前記ケースの嵌込み及び抜外しを誘導する突起部と、を有する照明手段と、を備える。
【発明の効果】
【００１０】
したがって、本発明の発光ダイオード（ＬＥＤ）付き飲料容器は、容器胴体及び蓋体に発光ダイオード（ＬＥＤ）の光が上下方向に発せられるようにして、容器胴体内に入れられた中身と調和をなして見栄えがよいだけではなく、広報効果を期待することができるというメリットがある。
【００１１】
また、本発明によれば、夜間に容器胴体に入れられた中身の残量を確認することができる。
【００１２】
さらに、使い終わった飲料容器は、インテリア小品として使用することができる。
【図面の簡単な説明】
【００１３】
【図１】本発明に係る発光ダイオード（ＬＥＤ）付き飲料容器の斜視図。
【図２】図１に示す発光ダイオード（ＬＥＤ）付き飲料容器の一断面図。
【図３】図２に示す発光ダイオード（ＬＥＤ）付き飲料容器の使用状態を示す要部断面図。
【図４】本発明に係る発光ダイオード（ＬＥＤ）付き飲料容器の他の実施の形態を示す斜視図。
【図５】図４に示す発光ダイオード（ＬＥＤ）付き飲料容器の一断面図。
【図６】図５に示す発光ダイオード（ＬＥＤ）付き飲料容器の照明手段を示す一断面図。
【図７】本発明に係る発光ダイオード（ＬＥＤ）付き飲料容器のさらに他の実施の形態を示す一断面図。
【図８】従来の透光空間による発光ダイオード（ＬＥＤ）照明付き容器の蓋体を示す断面図。
【発明を実施するための形態】
【００１４】
以下、添付図面に基づいて、本発明に係る発光ダイオード（ＬＥＤ）付き飲料容器について詳細に説明する。本発明に係る発光ダイオード（ＬＥＤ）付き飲料容器の特徴は、後述する実施の形態により明らかになる。
【００１５】
一方、本発明に係る発光ダイオード（ＬＥＤ）付き飲料容器について説明するに当たって、本発明が属する（または、属していない）技術分野における周知の構成要素についての詳細な説明は省略する。これは、不要な説明を省略するとともに、これによる本発明の要旨をなお一層明確に伝えるためである。
【００１６】
図１から図３に示すように、本発明の発光ダイオード（ＬＥＤ）付き飲料容器は、ストローＳが差し込まれるストロー差込口１２が配設された容器胴体１０と、前記容器胴体１０の注ぎ口１１の外面に取り外し自在に螺着される蓋体２０と、前記蓋体２０に設けられ、発光ダイオード（ＬＥＤ）３３が配設された発光部３０と、前記発光部３０に設けられ、発光ダイオード（ＬＥＤ）３３に電源を供給するバッテリ４０と、を備える。
【００１７】
前記容器胴体１０は、上部に注ぎ口１１が形成され、内部に収容空間を有し、前記注ぎ口１１の下側にストロー差込口１２が形成される。
【００１８】
また、前記容器胴体１０は、透明体または半透明体であり、必要に応じて、様々な色相及び形状を有する。
【００１９】
さらに、前記容器胴体１０の外面には、様々な色相を有するフィルムなどが貼り付けられてもよい。
【００２０】
前記注ぎ口１１の外面には螺合自在に形成される。
【００２１】
前記ストロー差込口１２は、ストローＳが嵌め込まれるように様々な形状を有する。
【００２２】
前記蓋体２０は、容器胴体１０の注ぎ口１１の外面に螺着される締付部２１と、前記締付部２１の内外側に設けられ、中央に係合孔２３が貫通された固定部２２と、前記締付部２１及び固定部２２に設けられるとともに、前記容器胴体１０の注ぎ口１１を閉塞する気密部材２４と、を備える。
【００２３】
前記締付部２１は、上端部の中央に締付孔２２’が形成される。
【００２４】
前記固定部２２には、締付部２１の締付孔２２’に嵌め込まれて前記前記締付部２１の内外側を支持する環状溝２８が形成され、内部に係合孔２３が形成される。
【００２５】
前記気密部材２４は、固定部２２の下部に嵌め込まれるように中央に支持孔２９が形成されて、前記蓋体２０が閉じられた状態で前記容器胴体１０の注ぎ口１１を閉塞して前記容器胴体１０の中身が外部に流れ出ることを防ぐ。
【００２６】
前記発光部３０は、カバー３１と、前記カバー３１の内部に設けられる発光ダイオード（ＬＥＤ）モジュール３２と、前記カバー３１に延びる中空部材３５と、を備える。
【００２７】
前記発光ダイオード（ＬＥＤ）モジュール３２は、発光ダイオード（ＬＥＤ）３３と、前記発光ダイオード（ＬＥＤ）３３側に電源を接続する接続端子３４と、を備え、前記発光ダイオード（ＬＥＤ）モジュール３２には前記バッテリ４０の電源が供給され、前記発光ダイオード（ＬＥＤ）モジュールは発光ダイオード（ＬＥＤ）３３を発光させる。
【００２８】
いうまでもなく、前記発光ダイオード（ＬＥＤ）３３は、様々な色相及び形状を有する。
【００２９】
前記中空部材３５は、固定部２２の係合孔２３に嵌め込まれて一部が上向きに突き出るように配置される。
【００３０】
前記バッテリ４０は、所定の量の電源を蓄えて、前記発光ダイオード（ＬＥＤ）モジュール３２側に供給するが、前記発光部３０の中空部材３５に嵌まり込む嵌込片４１が形成され、前記嵌込片４１に突設される供給端子４２からなる。
【００３１】
また、前記バッテリ４０の嵌込片４１は、発光部３０の中空部材３５内に締りばめされて位置を固定するとともに、前記中空部材３５に沿って移動可能なように配設されて前記バッテリ４０の供給端子４２及び発光部３０の接続端子３４を選択的に接地することができる。
【００３２】
以上述べたように、本発明の発光ダイオード（ＬＥＤ）３３付き飲料容器は、まず、前記容器胴体１０から蓋体２０を取り外した後、飲み物やお酒などを入れた後、前記蓋体２０を容器胴体１０に螺着し、前記バッテリ４０の嵌込片４１を前記発光部３０の中空部材３５に嵌め込むと、前記バッテリ４０の供給端子４２が前記発光ダイオード（ＬＥＤ）モジュール３２の接続端子３４に接地されて前記発光ダイオード（ＬＥＤ）３３が発光して下方に向かって光を照射する。
【００３３】
図４から図６は、本発明の発光ダイオード（ＬＥＤ）付き飲料容器の他の実施の形態を示すものであり、上述した本発明についての説明と重複する説明は省略し、前記容器胴体１０は、下部の中央から内側に向かって上向きに突き出た収容部１３を備え、底面に支持片１４が形成される。
【００３４】
前記収容部１３は「∩」字状を有し、上面が閉塞され、下部が開放される。
前記支持片１４は、容器胴体１０の底面に下向きに突き出て容器胴体１０を立てることができる。
【００３５】
前記蓋体２０の固定部２２は、締付部２１の上端部を基準として内側及び外側に形成され、内部に係合孔２３が形成される。
【００３６】
前記係合孔２３には、ストローＳが差し込まれる。
【００３７】
本発明の発光ダイオード（ＬＥＤ）付き飲料容器は、前記収容部１３に設けられて前記容器胴体１０の上方に向かって光を照射する照明手段５０を備える。
【００３８】
前記照明手段５０は、容器胴体１０の収容部１３に嵌着されるケース５１と、前記ケース５１の内部に乾電池５２、スイッチ部５３が設けられ、前記ケース５１の内外面に設けられて前記スイッチ部５３の動作を誘導する押下部５４及び前記スイッチ部５３の動作により光を照射する発光ダイオード（ＬＥＤ）３３と、前記ケース５１の外面に設けられ、前記ケース５１の嵌込み及び抜外しを誘導する突起部５６と、を備える。
【００３９】
前記突起部５６は、収容部１３に嵌め込まれた照明手段５０を抜き外し易くするために用いられる。
【００４０】
このように、本発明は、容器胴体１０の収容部１３に設けられた前記照明手段５０により前記容器胴体１０の底面から上方に向かって光を照射することができる。
【００４１】
図７は、本発明の発光ダイオード（ＬＥＤ）付き飲料容器のさらに他の実施の形態を示すものであり、上述した本発明についての説明と重複する説明は省略し、前記容器胴体１０の収容部１３に設けられた照明手段５０及び前記蓋体２０に設けられたバッテリ４０及び発光部３０により前記容器胴体１０の上下から前記発光ダイオード（ＬＥＤ）３３の光を照射することができる。
【００４２】
以上、本発明の特徴について好適な実施の形態を挙げて図示及び説明したが、本発明は上述した実施の形態に何等限定されるものではなく、本発明の目的、構成、効果を逸脱しない範囲内であれば、当該発明が属する技術分野において通常の知識を有する者により種々に変更して実施することができる。
【符号の説明】
【００４３】
１０  容器胴体
１３  収容部
２０  蓋体
３０  発光部
４０  バッテリ
５０  照明手段
Ｓ    ストロー
【図１】
2018520709.tif 000003
【図２】
2018520709.tif 000004
【図３】
2018520709.tif 000005
【図４】
2018520709.tif 000006
【図５】
2018520709.tif 000007
【図６】
2018520709.tif 000008
【図７】
2018520709.tif 000009
【図８】
2018520709.tif 000010
【国際調査報告】
2018520709.tif 000011
2018520709.tif 000012
2018520709.tif 000013
2018520709.tif 000014